(57)【要約】      （修正有）【課題】可撓性のある直立材付きの椅子を提供する。【解決手段】支持構造と、支持構造に固定された座部１８と、プラスチック材料の少なくとも１つの直立材２２によって座部に連結される背もたれ２０とを備え、少なくとも１つの直立材は、弾力的に変形可能であり、レスト位置と傾斜位置との間の背もたれの移動を可能にし、少なくとも１つの直立材は、少なくとも１つの貫通切込み２６'が形成され、垂直リブ２４のたわみを可能にする、少なくとも１つの局在化したたわみ帯２８'を有する少なくとも１つの垂直リブを備え、かつ、少なくとも１つの貫通切込みは、背もたれの後方傾斜位置にて相互接触して、直立材の後方たわみを停止する第１および第２停止面を有し、少なくとも１つの貫通切込みは、直立材の垂直な軸に略沿って延在する閉じたアーチ型スロットの形状を有する、椅子１０。【選択図】図１
2017064417.tif 000002
【特許請求の範囲】
【請求項１】
支持構造と、
前記支持構造に固定された座部と、
プラスチック材料の少なくとも１つの直立材によって前記座部に連結される背もたれとを備え、
前記少なくとも１つの直立材は、弾力的に変形可能であり、レスト位置と後方傾斜位置との間の前記背もたれの移動を可能にし、
前記少なくとも１つの直立材は、少なくとも１つの貫通切込みが形成され、垂直リブのたわみを可能にする、少なくとも１つの局在化したたわみ帯を有する少なくとも１つの前記垂直リブを備え、
前記少なくとも１つの貫通切込みは、前記背もたれの前記後方傾斜位置にて相互接触して、前記直立材の後方たわみを停止する第１および第２停止面を有し、前記少なくとも１つの貫通切込みは、前記直立材の垂直な軸に略沿って延在する、閉じたアーチ型スロットの形状を有する、椅子。
【請求項２】
前記少なくとも１つの貫通切込みは、前記垂直リブの後部の方を向いた凹面のプロファイルを有する、請求項１に記載の椅子。
【請求項３】
前記少なくとも１つの貫通切込みの前記凹面のプロファイルは、それぞれのたわみ帯に位置する頂点付きの略浅いＶ形状を有する、請求項２に記載の椅子。
【請求項４】
前記少なくとも１つの貫通切込みは、前記垂直リブの２つの対向する垂直面の間に延在する、請求項１から３のいずれか一項に記載の椅子。
【請求項５】
前記少なくとも１つのたわみ帯は、前記直立材の前記垂直な軸に略直交する方向に沿って離間する複数の貫通切込みを備える、請求項１に記載の椅子。
【請求項６】
前記少なくとも１つの直立材は、前記直立材の前記垂直な軸に沿って離間する複数のたわみ帯を備え、各たわみ帯は、少なくとも１つの貫通切込みを備える、請求項１から５のいずれか一項に記載の椅子。
【発明の詳細な説明】
【技術分野】
【０００１】
本発明は、支持構造と、支持構造に固定された座部と、プラスチック材料の少なくとも１つの直立材によって座部に連結される背もたれであって、上述の少なくとも１つの直立材は、弾力的に変形可能であり、レスト位置と後方傾斜位置との間の背もたれの移動を可能にする、背もたれと、を備える椅子に関する。
【背景技術】
【０００２】
同一の出願人による文書ＥＰ−Ａ−２４９７３９０は、横方向に離間した２つの直立材によって支持構造に連結された、傾斜する背もたれを備えた椅子を記載する。
上述の直立材の各々は、それぞれの直立材の長手軸に沿って離間し、長手軸に対して略横方向の複数の貫通切込みを備える。貫通切込みは局所的に、直立材を弱め、たわみ帯を作り出し、直立材のたわみ、および、レスト位置と後方傾斜位置との間の背もたれの移動を可能にする。貫通切込みは、直立材を、後方傾斜位置にて互いに接触する本質的に変形不可能な一連の複数の歯に分割し、背もたれの後方傾斜を停止する。
【０００３】
直立材のたわみを得るために変形可能な材料の弾力性だけが使用される場合、最もストレスがかかるたわみ領域での材料の降伏を防止するたわみの制限を設けることは重要である。
【０００４】
可撓性のある直立材付きの椅子の設計における主な困難さは、背もたれの後方たわみを与え、必要とされる安楽が得られる位置にてたわみを停止するとともに、たわみ帯での材料の過度のストレスを回避することができる、椅子の輪郭と調和した可撓性のある直立材の形状の設計にある。
【発明の概要】
【発明が解決しようとする課題】
【０００５】
本発明は、上述の要求を満たすことが可能である可撓性のある直立材付きの椅子を提供することを目的とする。
【課題を解決するための手段】
【０００６】
本発明によれば、この目的は、請求項１の主題を構成する特性を有する椅子によって実現される。特許請求の範囲は、ここで発明に関連して与えられる開示の必須部分を構成する。
【図面の簡単な説明】
【０００７】
ここで、本発明は、添付図面を参照して詳細に記載され、非限定例として単に述べられる。
【図１】本発明による椅子の実施形態の斜視図である。
【図２】レスト位置にある図１の矢印ＩＩＩによって示される部分の拡大側面図である。
【図３】後方傾斜位置にある図１の矢印ＩＩＩによって示される部分の拡大側面図である。
【図４】レスト位置にて図１の線ＩＶ−ＩＶによる透視断面図である。
【図５】後方傾斜位置にて図１の線ＩＶ−ＩＶによる透視断面図である。
【発明を実施するための形態】
【０００８】
図１を参照して、符号１０は、本発明の実施形態による椅子を示す。椅子１０は、２つの前脚１４および２つの後脚１６付きの金属フレームによって形成された台構造１２を備える。しかしながら、台構造１２のこの形状は、必須ではない。本発明はまた、異なるタイプの椅子に適用可能であり、例えば、台構造が、それぞれのキャスタを支える複数の径方向アームによって地面に静止する、高さ調節可能な垂直支えを備える事務椅子に対して適用可能である。
【０００９】
椅子１０は、台構造１２に固定された座部１８と、それぞれの垂直または本質的に垂直な軸Ａに沿って延在する２つの側部直立材２２によって座部１８に連結された背もたれ２０と備える。代替実施形態（図示せず）では、背もたれ２０は、中央位置に配置された単一の直立材２２によって座部１８に連結することができる。
【００１０】
好適な実施形態によれば、座部１８、背もたれ２０および複数の直立材２２は、単一の部品の射出成型プラスチック材料で形成される。代替的に、複数の直立材２２は、従来型の固定手段を介して座部および背もたれに固定される複数の分離した構成要素とすることができる。さらなる代替案として、複数の直立材２２は、座部または背もたれと共に１つの部品として形成することができ、背もたれまたは座部への従来型の固定手段を介して固定することができる。
【００１１】
各直立材２２は、それぞれの直立材２２と一体に形成される垂直リブ２４を具備する。
【００１２】
図２〜５を参照すると、各直立材２２のリブ２４は、直立材２２の少なくとも１つのたわみ帯２８'，２８''を形成する一または複数の貫通切込み２６'，２６''を備える。
【００１３】
図示された例では、各直立材は、第１たわみ帯２８'を形成する第１グループの貫通切込み２６'、および第２たわみ帯２８''を形成する第２グループの貫通切込み２６''を有する。貫通切込み２６'，２６''は、リブ２４の２つの対向する側壁間に延在する。
【００１４】
図面において、垂直方向にて離間した２つのたわみ帯２８'，２８''を備えた解決策が例として図示されているが、たわみ帯２８'，２８''の数は、例えば、複数の直立材２２の大きさ、貫通切込み２６'，２６''の長さ、および複数の直立材２２の剛性等に依存して、１から一般数Ｎまで変わることができることが理解される。さらに、各たわみ帯はまた、ただ１つの貫通切込み２６'，２６''を備えることもできる。
【００１５】
各たわみ帯において、支えプロファイル２２は、ユーザにより背もたれ１８に加えられる後方押しを受けてたわみ動作を実行することができる。たわみ帯２８'，２８''での複数の直立材の可撓性により、直立材レスト位置と後方傾斜位置との間の背もたれ２０の移動を可能にする。ユーザにより背もたれ２０に加えられる後方押しが終わった場合、背もたれ２０は、複数の直立材２２を構成する材料の弾性戻りによりレスト位置に戻る。
【００１６】
本発明の特性によれば、貫通切込み２６'，２６''は、それぞれの直立材２２の軸Ａに略沿って延在する、複数の閉じたアーチ型スロットの形状を有する。貫通切込み２６'，２６''の各々は、それぞれの直立材２２の軸Ａに略平行になるように延在する、互いに向かい合う２つの停止面３０，３２を有する。停止面３０，３２は、リブ２４の背もたれ２０の後方傾斜位置への弾性変形が、たわみ帯２８'，２８''にて互いに接触する停止面３０，３２をもたらすような量だけ、離間される。
【００１７】
各たわみ帯２８'，２８''において、複数の貫通切込み２６'，２６''は、好ましくは、それぞれの直立材２２の軸Ａに直交する方向に離間して設けられる。
【００１８】
スロット形状の貫通切込み２６'，２６''は、本質的に凹面のプロファイルを有し、凹面はリブ２４の後部の方を向いている。同一グループの貫通切込み２６'，２６''は、それぞれの直立材２２の軸Ａに略直交する共通軸に沿って位置合わせされたそれぞれの凹面の複数の頂点を有する。
たわみ帯２８'，２８''は、貫通切込み２６'，２６''の凹面の複数の頂点に配置される。
【００１９】
図示された例では、貫通切込み２６'，２６''は、浅いＶ型のプロファイルを有する。しかしながら、浅いＶ型のプロファイルは、必須ではなく、他のタイプのプロファイルにより置き換えることができる。
【００２０】
図２，３と図４，５とを比較して分かるように、直立位置（図２，４）から後方傾斜位置（図３，５）に移行すると、貫通切込み２６'，２６''のプロファイルがより強調されてきて、むしろ、略Ｖ型のプロファイルの深さが増す。後方傾斜位置（図３，５）では、各貫通切込み２６'，２６''の停止面３０，３２は、凸面のプロファイルのそれぞれの頂点にて互いに接触する。この位置では、リブ２４のたわみ剛性は、かなり増加する。その結果、リブ２４のさらなる後方変形は、阻止される。
【００２１】
貫通切込み２６'，２６''が複数の直立材２２に略平行に延在することにより、複数の直立材２２をあまりかさばらせない。その結果、相互に積み重ね可能に設計された椅子の場合には、より良い積み重ね性が得られる。
【００２２】
例えば、文書ＥＰ−Ａ−２４９７３９０に記載される公知の解決策と比較して、本発明による解決策では、たわみが複数の点状区域にて生じず、むしろ、より大きい領域に関係する。これは、複数の直立材の弾性変形の間に、材料にはあまりストレスがかからず、破損の危険をあまり受けないという利益がある。さらに、文書ＥＰ−Ａ−２４９７３９０に記載される解決策と比較して、複数のアーチ型スロットは、完全な手法にて複数のリブの連続性を妨げないので、本発明による解決策は、通常の使用方向とは反対方向に衝撃を与える事故的な衝突に対してより耐性がある。
【００２３】
もちろん、本発明の原理を損なうことなく、構造の詳細および実施形態は、記載及び図示された実施の形態に関して広く変更することができるが、これにより特許請求の範囲により規定される発明の範囲から逸脱しない。例えば、前述の記載は、各直立材２２が単一リブ２４を有する場合に言及するが、本発明はまた、各直立材２２が２つまたはそれ以上の平行な垂直リブを備える場合に適用することができる。この場合では、各リブ２４は、上記のように配置された貫通切込み２６'，２６''を備える。
【図１】
2017064417.tif 000003
【図２】
2017064417.tif 000004
【図３】
2017064417.tif 000005
【図４】
2017064417.tif 000006
【図５】
2017064417.tif 000007
【外国語明細書】
2017064417000001.pdf